(57)【特許請求の範囲】
【請求項１】
シート状のコントロールストリップを収納する収納空間と、この収納空間に収納されたコントロールストリップの出し入れを許すスリットとをホルダ本体に形成してあるコントロールストリップ用ホルダであって、
前記ホルダ本体が、一方の端部にのみ前記スリットを形成した暗箱状に形成されると共に、前記スリットが形成された端部側に、前記ホルダ本体の外面から突出するフランジ部と、前記収納空間に収納したコントロールストリップに移動力を作用させる単一のローラとを前記端部を基準にして、この順序で備えており、
前記フランジ部は、前記ホルダ本体と一体的に形成され、前記ローラは、前記ホルダ本体の内部に配置され、このローラを人為的に回転操作するノブを前記ホルダ本体の外部に備えているコントロールストリップ用ホルダ。
【請求項２】
前記ホルダ本体が、表壁と裏壁とを備えて構成されると共に、この表壁のうち前記スリットが形成された側の端部に前記コントロールストリップの幅より僅かに広い幅で、前記コントロールストリップの搬送方向に沿う領域を取り除いた形状となる切り欠き部を形成し、この表壁に形成した膨出部の内部に前記ローラを配置している請求項１記載のコントロールストリップ用ホルダ。
【請求項３】
前記収納空間を形成する前記表壁の内面から前記スリットの部位に亘って遮光材を張設し、前記収納空間を形成する前記裏壁の内面から前記スリットの部位に亘って遮光材を張設し、遮光材夫々の対向する面同士の間隔を前記コントロールストリップの厚みと略一致させている請求項１又は２記載のコントロールストリップ用ホルダ。
【発明の詳細な説明】
【０００１】
【発明の属する技術分野】
本発明は、コントロールストリップ用ホルダに関し、詳しくは、シート状のコントロールストリップを収納する収納空間と、この収納空間に収納されたコントロールストリップの出し入れを許すスリットとをホルダ本体に形成してあるコントロールストリップ用ホルダに関する。
【０００２】
【従来の技術】
コントロールストリップを処理する装置として、特開平６‐３５１５６号公報に示されるものが存在し、この従来の技術では、コンストホルダーに対して、先端を５０ｍｍ程度露出させた状態でコントロールストリップを収納し、このコンストホルダーを、印画紙を負圧によって吸引状態で搬送する搬送ベルトの部位にセットし、搬送ベルトの吸引力でコントロールストリップの先端部を吸着させた状態で搬送ベルトからの搬送力を作用させることで、コントロールストリップを引き出し、現像機に送り込むよう構成されている。
【０００３】
又、従来からの現像処理装置では、現像処理を行う複数の現像処理槽に感光材料を送るよう多数の搬送ローラを有した搬送手段を備え、この搬送手段の搬送上手位置にコントロールストリップの送り込みを許す供給部を形成してある。そして、この供給部からコントロールストリップを送り込む場合には、コントロールストリップをホルダ等に収納する作業の後に、このコントロールストリップの先端にスプライシングテープでリーダを取り付ける作業を行い、このホルダを現像処理装置の供給部に対してセットすることで、リーダが現像処理装置の内部の搬送手段に引き込まれ、結果として、リーダとともにコントロールストリップを現像処理槽に送り込むものとなっていた。
【０００４】
【発明が解決しようとする課題】
前述のようにホルダ等にコントロールストリップを収納する作業を考えるに、公報番号を挙げた従来の技術でも不都合点が説明されているように、ダークボックスや暗室において比較的強い力を加えることによりコントロールストリップの挿入を行う作業形態になるばかりか、コントロールストリップの先端部にリーダを取り付ける作業も必要となり、困難な面もあった。そして、このようにリーダを用いるものでは現像後のコントロールストリップの濃度等を計測する作業に先立ってコントロールストリップからリーダを取外す必要があり、手間の面で改善の余地があった。そこで、公報番号を挙げた従来の技術のように、現像処理装置の搬送ベルトの搬送力を利用してコントロールストリップの送り込みを可能にする構成を採用することも考えられるが、この構成は、比較的大型で、使用する際にも現像処理装置を開放して搬送ベルトの部位にセットする必要があり、手間が掛かる面があった。
【０００５】
又、ホルダ等に収納したコントロールストリップを現像処理装置の供給部から現像処理装置内部の搬送手段に送り込む際の取り扱いを考えるに、従来は、ホルダ等を供給部に押し込む形態でセッティングすることにより、ホルダの端部が供給部に嵌り込み、この端部側への光線の侵入が遮断される状態に達するものとなり、これと略同じタイミングでコントロールストリップの先端部に取り付けたリーダの先端部に搬送手段の搬送ローラから搬送力が作用し、この搬送力によってリーダとともににコントロールストリップが現像処理装置に引き込まれるものとなっている。しかしながら、コントロールストリップの先端に取り付けたリーダが適正な長さより長い場合には、ホルダ等を供給部にセッティングする際に、ホルダ等を供給部に対して完全に押し込む以前にリーダの先端に搬送ローラからの搬送力が作用するものとなり、光線が完全に遮断されないタイミングでコントロールストリップが引き出される結果、コントロールストリップを感光させる不都合に繋がるものとなる。これとは逆に、リーダが適正な長さより短い場合にはホルダ等を供給部に完全にセットしてもコントロールストリップを現像処理装置に送り込むことが出来ない不都合に繋がるものであり、ホルダ等に収納したコントロールストリップを確実に現像処理装置に送り込む技術が望まれている。
【０００６】
本発明の目的は、コントロールストリップの収納と、送り出しとを容易に行えるコントロールストリップ用ホルダを合理的に構成する点にある。
【０００７】
【課題を解決するための手段】
本発明の請求項１に係るコントロールストリップ用ホルダの特徴、作用・効果は次の通りである。
〔特徴〕
シート状のコントロールストリップを収納する収納空間と、この収納空間に収納されたコントロールストリップの出し入れを許すスリットとをホルダ本体に形成してあるコントロールストリップ用ホルダにおいて、
前記ホルダ本体が、一方の端部にのみ前記スリットを形成した暗箱状に形成されると共に、前記スリットが形成された端部側に、前記ホルダ本体の外面から突出するフランジ部と、前記収納空間に収納したコントロールストリップに移動力を作用させる単一のローラとを前記端部を基準にして、この順序で備えており、
前記フランジ部は、前記ホルダ本体と一体的に形成され、前記ローラは、前記ホルダ本体の内部に配置され、このローラを人為的に回転操作するノブを前記ホルダ本体の外部に備えている点にある。
【０００８】
〔作用・効果〕
上記特徴によると、ホルダ本体の収納空間にコントロールストリップを収納する際には、スリットからコントロールストリップの端部を挿入した状態でノブからの操作力をローラに与えてコントロールストリップに対して収納方向に移動力を作用させることで、ホルダ本体内部へのコントロールストリップの収納が可能となり、このように収納したコントロールストリップを現像処理装置に送り込む際には、ホルダ本体を現像処理装置にセットして、ノブを操作することで、ローラからコントロールストリップに移動力を作用させて現像処理装置に供給することが可能となる。その結果、コントロールストリップの収納が簡単で先端にリーダを備えずともコントロールストリップの送り込みを容易に行えるコントロールストリップ用ホルダが合理的に構成された。
【０００９】
本発明の請求項２に係るコントロールストリップ用ホルダの特徴、作用・効果は次の通りである。
〔特徴〕
請求項１記載のコントロールストリップ用ホルダにおいて、前記ホルダ本体が、表壁と裏壁とを備えて構成されると共に、この表壁のうち前記スリットが形成された側の端部に前記コントロールストリップの幅より僅かに広い幅で、前記コントロールストリップの搬送方向に沿う領域を取り除いた形状となる切り欠き部を形成し、この表壁に形成した膨出部の内部に前記ローラを配置している点にある。
【００１０】
〔作用・効果〕
上記特徴によると、例えば、ダークボックスやダークバッグの内部において本発明のコントロールストリップ用ホルダの切り欠き部を上向きにセットすれば、この切り欠き部を基準にしてコントロールストリップの端部をセットでき、この上面側に位置するノブを操作することでコントロールストリップの送り込みが可能となる。
【００１１】
本発明の請求項３に係るコントロールストリップ用ホルダの特徴、作用・効果は次の通りである。
〔特徴〕
請求項１又は２記載のコントロールストリップ用ホルダにおいて、前記収納空間を形成する前記表壁の内面から前記スリットの部位に亘って遮光材を張設し、前記収納空間を形成する前記裏壁の内面から前記スリットの部位に亘って遮光材を張設し、遮光材夫々の対向する面同士の間隔を前記コントロールストリップの厚みと略一致させている点にある。
【００１２】
〔作用・効果〕
上記特徴によると、表壁と裏壁との内面に遮光材をコントロールストリップの厚みと等しい間隔で対向して備えることにより光線の侵入を阻止するばかりでなく、この遮光材がコントロールストリップの滑動を助けることも可能となる。
【００１３】
【発明の実施の形態】
以下、本発明の実施の形態を図面に基づいて説明する。
〔第１実施の形態〕
図２及び図４に示すように、表壁１Ａと裏壁１Ｂとを有して暗箱として機能するホルダ本体１を樹脂材で形成すると共に、このホルダ本体１の収納空間Ｒに連通し、かつ、シート状のコントロールストリップＣＳの挿入と送り出しとを可能にするスリットＳを一方の端部に形成し、又、このスリットＳが形成された側のホルダ本体１の外面部にフランジ部１Ｆを一体形成し、表壁１Ａの側に形成した膨出部１Ｃの内部に支軸２と一体回転するゴム製のローラ３を搬送体として備え、ローラ３を回転操作するノブ４を人為操作体として支軸２の端部に備えてコントロールストリップ用ホルダが構成されている。
【００１４】
このホルダでは、スリットＳが形成された側の表壁１Ａの端部に対してコントロールストリップＣＳの幅より僅かに広い幅となる切り欠き部１Ｄを形成してあり、収納空間ＲからスリットＳの部位に亘り、表壁１Ａと裏壁１Ｂとの内面に黒色の布や黒色のフェルト等の遮光材５、５を張設することにより収納空間Ｒに対する光線の侵入を阻止している。
【００１５】
この遮光材５、５は、光線の侵入を阻止する機能を有すると同時に、コントロールストリップＣＳの滑動を助ける機能を有するものであり、遮光材５、５夫々の対向する面同士の間隔をコントロールストリップＣＳの厚みと略一致させることにより遮光性能を高めている。
【００１６】
このコントロールストリップ用ホルダに対してコントロールストリップＣＳを挿入する際には、ダークボックスやダークバッグ用いる、あるいは、暗室において、コントロールストリップ用ホルダを切り欠き部１Ｄを上方に向けた姿勢にセットし、コントロールストリップＣＳの感光面を上方に向かわせた状態でスリットＳからコントロールストリップＣＳの端部をローラ３に接触する位置まで押し込み、ノブ４を人為的に回転することによりローラ３の回転力によってコントロールストリップＣＳに移動力を作用させて、このコントロールストリップＣＳを収納空間Ｒに引き込むものとなる。
【００１７】
このようにコントロールストリップ用ホルダに収納したコントロールストリップＣＳを現像処理装置に送り込んで現像処理を行う場合には、以下の手順に従う。つまり、現像処理装置は図１に示すように、印画紙マガジン１０からの印画紙（図示せず）をプリントサイズに切断した後、露光部１１で露光を行い、この露光後の印画紙を搬送機構１２によって現像処理部１３に送り、乾燥の後、装置の上面に送り出すよう構成されている。この現像処理装置では、現像処理部１３に複数の現像処理槽１３Ａを備えると共に、夫々の現像処理槽１３Ａに対して印画紙を送るよう多数の圧着型のローラ１４を有したラック１５を配置して成る搬送手段を備えており、この搬送手段の搬送上手位置と対応する位置のケース１６の上面に対して供給部Ｆを形成してある。
【００１８】
この供給部Ｆは、図３に示すように、着脱自在な蓋材１８を有すると共に、この蓋材１８で開閉される空間に対して上端に開口２０を有する縦向きの筒状部１９を形成した単純な構造である。
【００１９】
従って、コントロールストリップＣＳを現像処理装置に送り込む場合には、前記搬送手段を予め駆動しておき、蓋材１８を取り外した後に、図４に示す如く開口２０に対して、コントロールストリップ用ホルダの端部を挿入する。このように挿入した状態では、ホルダ本体１のフランジ部１Ｆが開口２０に接当することでホルダ本体１の位置が決まると同時に、フランジ部１Ｆが開口２０の上方を覆うことにより開口内への光線の侵入を阻止するものとなり、この挿入状態においてノブ４を回転操作することでローラ１４が回転してコントロールストリップＣＳに移動力を作用させるので、コントロールストリップＣＳの先端がガイドＧによって搬送手段を構成する圧着型のローラ１４まで案内され、この後、コントロールストリップＣＳは搬送手段によって夫々の現像処理槽１３Ａに順次送られて現像処理が行われるのである。尚、開口２０に対してコントロールストリップ用ホルダを挿入する際には図４における方向視でホルダ本体１に備えたノブ４が手前側に位置する姿勢が適正であり、ノブ４の位置から適正な姿勢を容易に判断でき、この適正な姿勢にセットすることで手前側からノブ４を楽に操作できるものとなる。
【００２０】
このように第１実施の形態では、コントロールストリップ用ホルダの収納空間Ｒに対してコントロールストリップＣＳを挿入する際にはノブ４を単純に回転操作することでコントロールストリップＣＳが円滑に引き込まれるので作業が楽になるばかりで無く労力を軽減し、このコントロールストリップＣＳを現像処理装置に送り込む際には、ノブ４を単純に回転操作するだけで済み操作が簡単となる。又、本発明のコントロールストリップ用ホルダを用いることにより、従来必要としていたリーダを必要とせず、このリーダをコントロールストリップＣＳの先端部にスプライシングテープで貼り付ける作業や、現像処理の後にスプライシングテープを取り外す作業を行わずに済み作業が極めて楽となっている。特に、ローラ３がコントロールストリップＣＳの感光面の側に配置されているので、コントロールストリップＣＳを送る場合に、感光面に擦り傷を作る不都合を解消するものとなり、やや粘性を有する感光面にゴム製のローラ３を接触させることで確実な送りを実現している。
【図面の簡単な説明】
【図１】  第１実施の形態の現像処理装置の縦断側面図
【図２】  第１実施の形態のコントロールストリップ用ホルダの斜視図
【図３】  第１実施の形態の現像処理装置の開口部位の断面図
【図４】  第１実施の形態の現像処理装置にコントロールストリップ用ホルダを装着した状態を示す断面図
【符号の説明】
１              ホルダ本体
３              ローラ
４              ノブ
Ｒ              収納空間
Ｓ              スリット
ＣＳ            コントロールストリップ
【図１】
0003703021.tif 000002
【図２】
0003703021.tif 000003
【図３】
0003703021.tif 000004
【図４】
0003703021.tif 000005